(57)【要約】【課題】スリム化およびコンパクト化されたバッテリパックを提供する。【解決手段】垂直および水平方向に積層された多数のバッテリセルと、多数のバッテリセルに電気的に連結された多数の母線とからなる少なくとも一つのバッテリモジュールと、バッテリモジュールに結合された絶縁本体と、絶縁本体に形成され、多数の母線のうち選択された一部と電気的に連結された電源端子とからなるコネクタと、を含むバッテリパックが提供される。【選択図】図１ａ
2011258542.tif 000002
【特許請求の範囲】
【請求項１】
垂直および水平方向に積層された多数のバッテリセルと、前記多数のバッテリセルに電気的に連結された多数の母線とからなる少なくとも一つのバッテリモジュールと、
前記バッテリモジュールに結合された絶縁本体と、前記絶縁本体に形成され、前記多数の母線のうち選択された一部と電気的に連結された電源端子とからなるコネクタと、を含むことを特徴とするバッテリパック。
【請求項２】
前記コネクタには、前記バッテリモジュールが多数具備されて、垂直方向または水平方向に積層結合されることを特徴とする請求項１に記載のバッテリパック。
【請求項３】
前記バッテリモジュールには、前記多数のバッテリセルおよび前記多数の母線を一緒に覆う保護カバーが形成されたことを特徴とする請求項１または２に記載のバッテリパック。
【請求項４】
前記多数の母線のうち選択された一部の母線は、前記保護カバーの外側に延長されて前記電源端子に電気的に連結されたことを特徴とする請求項３に記載のバッテリパック。
【請求項５】
前記多数の母線それぞれに連結された検出線が前記コネクタに連結されたことを特徴とする請求項１〜４のいずれか１項に記載のバッテリパック。
【請求項６】
前記コネクタには、前記検出線と電気的に連結された検出端子が具備されたことを特徴とする請求項５に記載のバッテリパック。
【請求項７】
前記バッテリモジュールには、前記多数のバッテリセル、前記多数の母線および多数の前記検出線を一緒に覆う保護カバーが形成されたことを特徴とする請求項５に記載のバッテリパック。
【請求項８】
前記検出線のうち一部の検出線が前記保護カバーの外側に延長されて、前記検出端子に電気的に連結されたことを特徴とする請求項７に記載のバッテリパック。
【請求項９】
前記垂直および水平方向に積層された多数のバッテリセルの間には、電気的に絶縁性および熱的に導電性を有する隔壁が介在されたことを特徴とする請求項１〜８のいずれか１項に記載のバッテリパック。
【請求項１０】
前記バッテリモジュールのうち前記コネクタと結合される側部には、結合用トレンチまたは結合用突起が形成されたことを特徴とする請求項１〜９のいずれか１項に記載のバッテリパック。
【請求項１１】
前記コネクタのうち前記バッテリモジュールと結合される側部には、結合用突起または結合用トレンチが形成されたことを特徴とする請求項１〜９のいずれか１項に記載のバッテリパック。
【請求項１２】
前記バッテリモジュールは、
前記多数のバッテリセルの下部に密着した下部カバーと、
前記多数のバッテリセルの上部に密着した上部カバーと、
前記下部カバーおよび前記上部カバーを貫通して結合された結合部材と、を含むことを特徴とする請求項１〜１１のいずれか１項に記載のバッテリパック。
【請求項１３】
前記下部カバーおよび前記上部カバーは、スチールまたはエンジニアリングプラスチックからなることを特徴とする請求項１２に記載のバッテリパック。
【請求項１４】
前記コネクタは、前記絶縁本体の表面に形成され、前記母線および前記電源端子と電気的に連結される多数の電源パターンを含むことを特徴とする請求項１〜１３のいずれか１項に記載のバッテリパック。
【請求項１５】
前記コネクタは、前記絶縁本体の表面に形成され、前記検出線および前記検出端子と電気的に連結される多数の検出パターンを含むことを特徴とする請求項７に記載のバッテリパック。
【発明の詳細な説明】
【技術分野】
【０００１】
本発明はバッテリパックに関する。
【背景技術】
【０００２】
一般的に、エンジンとモータの相互動作によって走行可能なハイブリッド自動車または電気自動車には、電源装置としてバッテリパックが搭載される。バッテリパックは、多数の充電可能なバッテリセルと、多数のバッテリセルを収容するハウジングとからなる。ここで、多数のバッテリセルが水平方向に積層（ｓｔａｃｋ）され、また互いに直列に連結される。
【発明の概要】
【発明が解決しようとする課題】
【０００３】
バッテリセルは、ハウジングの内側に起立した状態で位置する。さらに、バッテリセルは、ハウジングの内側で多数の行と列を構成し、水平方向に配列される。よって、ハウジングは、全てのバッテリセルを収容するために比較的大きいサイズで製造される。また、ハウジングには、剛性を確保するように、多数の補強部材が付着する。これによって、バッテリパックのスリム化およびコンパクト化が困難になる。
【０００４】
また、バッテリセルがハウジングの内側で起立した状態で位置するので、バッテリセルに電気的に連結される母線（ｂｕｓ  ｂａｒ）および検出線（ｓｅｎｓｉｎｇ  ｗｉｒｅ）などの配線がかなり複雑になる。
【０００５】
また、バッテリパックの製造工程が、ハウジングに多数のバッテリセルを装着する段階、バッテリセルに配線を連結する段階、配線を回路基板に連結する段階およびハウジング組立段階などからなって、バッテリパックの生産工程の効率も低下する。
【０００６】
そこで、本発明は、上記問題に鑑みてなされたものであり、本発明の目的とするところは、スリム（ｓｌｉｍ）化およびコンパクト（ｃｏｍｐａｃｔ）化された、新規かつ改良されたバッテリパックを提供することにある。
【０００７】
また、本発明の目的とするところは、生産工程の効率を向上させることができる、新規かつ改良されたバッテリパックを提供することにある。
【課題を解決するための手段】
【０００８】
本発明のある観点によるバッテリパックは、垂直および水平方向に積層された多数のバッテリセルと、多数のバッテリセルに電気的に連結された多数の母線とからなる少なくとも一つのバッテリモジュールと、バッテリモジュールに結合された絶縁本体と、絶縁本体に形成され、多数の母線のうち選択された一部と電気的に連結された電源端子とからなるコネクタと、を含む。
【０００９】
コネクタには、バッテリモジュールが多数具備されて、垂直方向または水平方向に積層結合される。
【００１０】
バッテリモジュールには、多数のバッテリセルおよび多数の母線を一緒に覆う保護カバーが形成される。多数の母線のうち選択された一部の母線は、保護カバーの外側に延長されて電源端子に電気的に連結される。
【００１１】
多数の母線それぞれに連結された検出線はコネクタに連結される。コネクタには、検出線と電気的に連結された検出端子が具備される。バッテリモジュールには、多数のバッテリセル、多数の母線および多数の検出線を一緒に覆う保護カバーが形成される。検出線のうち一部の検出線が保護カバーの外側に延長されて、検出端子に電気的に連結される。
【００１２】
垂直および水平方向に積層された多数のバッテリセルの間には、電気的に絶縁性および熱的に導電性を有する隔壁が介在される。
【００１３】
バッテリモジュールのうちコネクタと結合される側部には、結合用トレンチまたは結合用突起が形成される。
【００１４】
コネクタのうちバッテリモジュールと結合される側部には、結合用突起または結合用トレンチが形成される。
【００１５】
バッテリモジュールは、多数のバッテリセルの下部に密着した下部カバーと、多数のバッテリセルの上部に密着した上部カバーと、下部カバーおよび上部カバーを貫通して結合された結合部材と、を含む。下部カバーおよび上部カバーは、スチールまたはエンジニアリングプラスチックからなる。
【００１６】
コネクタは、絶縁本体の表面に形成され、母線および電源端子と電気的に連結される多数の電源パターンを含む。コネクタは、絶縁本体の表面に形成され、検出線および検出端子と電気的に連結される多数の検出パターンを含む。
【発明の効果】
【００１７】
本発明によれば、下部カバーと上部カバーの間に、多数のバッテリセルが垂直および水平方向に積層された多数のバッテリモジュールが具備され、このような多数のバッテリモジュールがコネクタに垂直または水平方向に密着して結合されることで、スリム化およびコンパクト化されたバッテリパックが提供される。
【００１８】
また、本発明によれば、多数のバッテリモジュールが垂直または水平方向にコネクタに順次に結合されてバッテリパックが完成されることで、生産工程の効率が向上する。
【図面の簡単な説明】
【００１９】
【図１ａ】本発明の一実施形態によるバッテリパックの斜視図である。
【図１ｂ】本発明の一実施形態によるバッテリパックの平面図である。
【図２】本発明の一実施形態によるバッテリパックのうちバッテリモジュールがコネクタに結合される状態を示す斜視図である。
【図３】本発明の一実施形態によるバッテリパックのうちバッテリモジュールとコネクタの間の結合関係を示す正面図である。
【図４ａ】本発明の一実施形態によるバッテリパックのうちコネクタを示す正面図である。
【図４ｂ】バッテリモジュールとコネクタの間の結合関係を示す正面図である。
【図５】本発明の別の実施形態によるバッテリパックのうちバッテリモジュールとコネクタの間の結合関係を示す正面図である。
【図６】本発明の一実施形態によるバッテリパックのうちバッテリモジュールの組立方法を示す正面図である。
【図７ａ】本発明の一実施形態によるバッテリパックの製造方法を示す正面図である。
【図７ｂ】本発明の一実施形態によるバッテリパックの製造方法を示す正面図である。
【図７ｃ】本発明の一実施形態によるバッテリパックの製造方法を示す正面図である。
【図７ｄ】本発明の一実施形態によるバッテリパックの製造方法を示す正面図である。
【図７ｅ】本発明の一実施形態によるバッテリパックの製造方法を示す正面図である。
【図７ｆ】本発明の一実施形態によるバッテリパックの製造方法を示す正面図である。
【発明を実施するための形態】
【００２０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２１】
図１ａおよび図１ｂは、本発明の一実施形態によるバッテリパックの斜視図および平面図である。
【００２２】
図１ａおよび図１ｂに示すように、本発明の一実施形態によるバッテリパック１００は、少なくとも一つのバッテリモジュール１１０と、バッテリモジュール１１０の一側に結合された少なくとも一つのコネクタ１２０とを含む。
【００２３】
バッテリモジュール１１０は、下部カバー１１１ａと上部カバー１１１ｂを含む。下部カバー１１１ａと上部カバー１１１ｂの間には、多数のバッテリセル（図示せず）が垂直および水平方向に積層されている。また、多数のバッテリセル１１４は母線（図示せず）に連結されている。さらに、保護カバー１１２が下部カバー１１１ａと上部カバー１１１ｂの間に結合され、母線を覆う。さらに、結合部材１１３が下部カバー１１１ａおよび上部カバー１１１ｂに結合されることで、下部カバー１１１ａおよび上部カバー１１１ｂが多数のバッテリセルを拘束する。
【００２４】
下部カバー１１１ａおよび上部カバー１１１ｂは、略長方形のプレートであってもよい。下部カバー１１１ａおよび上部カバー１１１ｂは、例えば、スチール（ｓｔｅｅｌ）、エンジニアリングプラスチックおよびその等価物から選択された何れか一つで製造できるが、ここでその材質を限定するものではない。スチールには、バッテリセルとの不必要な短絡を防止するために、絶縁層が形成されることもできる。すなわち、スチールの表面に、絶縁樹脂がコーティングされるか、または厚い酸化膜が形成されることもできる。また、エンジニアリングプラスチックは、ガラス繊維または炭素繊維などが混合されて強度が向上したプラスチックであってもよい。
【００２５】
保護カバー１１２は、下部カバー１１１ａと上部カバー１１１ｂの間に形成され、バッテリセルおよび母線を覆う。このような保護カバー１１２は絶縁樹脂からなってもよい。保護カバー１１２は、母線を外部環境から保護する役割を果たす。
【００２６】
結合部材１１３は、所定長さを有するボルトおよびナットからなってもよい。上述したように、結合部材１１３は下部カバー１１１ａと上部カバー１１１ｂをバッテリセルに強く密着させることで、多数のバッテリセルが外部に離脱することを防止する。隔壁１１７ａについては下記で説明する。
【００２７】
コネクタ１２０は、バッテリモジュール１１０の一側に機械的且つ電気的に結合されている。コネクタ１２０は、電源端子１２４およびセンシング端子１２５を含む。電源端子１２４は、コネクタ１２０から突出形成されている。このような電源端子１２４には、充電装置（図示せず）または外部負荷（図示せず）が連結される。さらに、センシング端子１２５もコネクタ１２０から突出形成されている。このようなセンシング端子１２５には、バッテリパック１００の充電および放電を制御する制御回路（図示せず）が連結されることもできる。
【００２８】
一方、図１ａおよび図１ｂは、一つのコネクタ１２０に６個のバッテリモジュール１１０が結合された状態を示しているが、このような結合状態で本発明を限定するものではない。すなわち、本発明は一つのコネクタ１２０に６個未満または６個を超過するバッテリモジュール１１０が結合されることもできる。さらに、図１ａおよび図１ｂは、バッテリパック１００が横方向に置かれた状態を示しているが、このような状態で本発明を限定するものではない。すなわち、本発明によるバッテリパック１００が縦方向に起立した状態も可能である。
【００２９】
このようにして、本発明の一実施形態は、下部カバー１１１ａと上部カバー１１１ｂの間に多数のバッテリセルが積層された多数のバッテリモジュール１１０が具備され、このような多数のバッテリモジュール１１０がコネクタ１２０に垂直または水平方向に密着して結合されることで、スリム化およびコンパクト化されたバッテリパック１００を提供する。
【００３０】
さらに、本発明の一実施形態は、多数のバッテリモジュール１１０が垂直または水平方向にコネクタ１２０に順次に結合されてバッテリパック１００が完成されることで、生産工程の効率が向上する。
【００３１】
図２は、本発明の一実施形態によるバッテリパックのうちバッテリモジュールがコネクタに結合される状態を示す斜視図である。
【００３２】
図２に示すように、本発明の一実施形態によるバッテリパック１００は、多数のバッテリモジュール１１０が順次にコネクタ１２０に機械的且つ電気的に結合されることができる。このように多数のバッテリモジュール１１０がコネクタ１２０に順次に結合されることで、結果的に多数のバッテリモジュール１１０が水平方向に積層された形態をする。勿論、コネクタ１２０を起立させると、多数のバッテリモジュール１１０が垂直方向に積層された形態を有する。よって、本発明の一実施形態によるバッテリパック１００はスリム化およびコンパクト化される。さらに、バッテリモジュール１１０とコネクタ１２０の結合構造が簡単であるので、バッテリパック１００の生産工程の効率も向上する。
【００３３】
図３は、本発明の一実施形態によるバッテリパックのうちバッテリモジュールとコネクタの間の結合関係を示す正面図である。
【００３４】
ここでは、本発明の一実施形態の理解のために保護カバーの図示は省略されている。
【００３５】
図３に示すように、バッテリモジュール１１０は、下部カバー１１１ａと上部カバー１１１ｂの間に垂直方向および水平方向に多数のバッテリセル１１４が積層されて形成される。一例として、垂直方向に２個のバッテリセル１１４が積層され、水平方向に６個のバッテリセル１１４が積層されることもできる。しかし、本発明はこのようなバッテリセル１１４の個数に限定されるものではない。
【００３６】
バッテリセル１１４は、リチウムイオン電池、リチウムポリマー電池およびその等価物から選択された何れか一つであってもよいが、このような種類で本発明を限定するものではない。バッテリセル１１４は、それぞれ正極端子１１４ａおよび負極端子１１４ｂを含む。何れか一つのバッテリセル１１４に具備された正極端子１１４ａは、隣接した別のバッテリセル１１４に具備された負極端子１１４ｂに、母線１１５で連結される。一例として、母線１１５は溶接方式によって何れか一つの正極端子１１４ａと隣接した負極端子１１４ｂに、機械的且つ電気的に連結されることもできる。このようにして、例えば、１２個のバッテリセル１１４が直列に連結されることもできる。
【００３７】
一方、コネクタ１２０と隣接した領域に位置する母線１１５は、バッテリモジュール１１０の外側にさらに延び、このような母線１１５はコネクタ１２０に機械的且つ電気的に結合される。すなわち、バッテリモジュール１１０の外側に延びた母線１１５は、溶接方式によって、コネクタ１２０に具備された電源パターン１２２に機械的且つ電気的に連結されることもできる。
【００３８】
また、各母線１１５には検出線１１６が結合されている。検出線１１６は、例えば、溶接方式によって母線１１５に結合されることもできる。検出線１１６は、バッテリモジュール１１０の外側にさらに延び、このような検出線１１６はコネクタ１２０に機械的且つ電気的に結合される。すなわち、バッテリモジュール１１０の外側に延びた検出線１１６は、溶接方式によって、コネクタ１２０に具備された検出パターン１２３に機械的且つ電気的に連結されることもできる。
【００３９】
また、バッテリセル１１４とバッテリセル１１４の間には、電気的には絶縁性を有し、且つ熱的には導電性を有する隔壁１１７ａ、１１７ｂが位置することもできる。すなわち、水平方向に積層されたバッテリセル１１４の間に隔壁１１７ａが位置し、垂直方向に積層されたバッテリセル１１４の間に隔壁１１７ｂが位置する。このような隔壁１１７ａ、１１７ｂは、バッテリセル１１４の間の不必要な電気的短絡を防止し、またバッテリセル１１４から発生する熱を放出する役割を果たす。
【００４０】
さらに、下部カバー１１１ａと上部カバー１１１ｂの間には結合部材１１３が結合されることで、多数のバッテリセル１１４および隔壁１１７ａ、１１７ｂが安定的に支持されるようになっている。このような結合部材１１３は、一例として所定長さを有するボルトおよびこのボルトに結合されるナットであってもよいが、このような種類で本発明を限定するものではない。
【００４１】
図４ａは、本発明の一実施形態によるバッテリパックのうちコネクタの正面図であり、図４ｂは、バッテリモジュールとコネクタの間の結合関係を示す正面図である。
【００４２】
図４ａおよび図４ｂを参照すると、コネクタ１２０は、絶縁本体１２１と、絶縁本体１２１に形成された電源パターン１２２と、絶縁本体１２１に形成された検出パターン１２３と、絶縁本体１２１に形成された電源端子１２４と、絶縁本体１２１に形成された検出端子１２５とを含む。
【００４３】
絶縁本体１２１は、例えば、垂直本体１２１ａと、垂直本体１２１ａの下端および上端から水平方向に所定長さ延びた水平本体１２１ｂとを含む。絶縁本体１２１は、通常の熱硬化性または熱可塑性樹脂からなってもよい。しかし、このような材質で本発明を限定するものではない。
【００４４】
電源パターン１２２は、垂直本体１２１ａに、例えば、２列に形成されることもできる。電源パターン１２２は、例えば、銅またはその等価物で形成されることもできる。しかし、このような材質で本発明を限定するものではない。電源パターン１２２には、バッテリモジュール１１０の外側に延びた母線１１５が電気的且つ機械的に連結される。一例として、図面中の最も左側の下部と上部に形成された電源パターン１２２に、一番目のバッテリモジュール１１０のうち正極母線１１５および負極母線１１５がそれぞれ結合されることもできる。続いて、隣接した下部の電源パターン１２２に、二番目のバッテリモジュール１１０のうち正極母線１１５および負極母線１１５がそれぞれ結合されることもできる。このような方式で、全てのバッテリモジュール１１０が電源パターン１２２に連結されることができる。さらに、電源パターン１２２は電源端子１２４に電気的に連結される。よって、電源端子１２４を介して直列に連結された全てのバッテリモジュール１１０の全体電圧が出力されることができる。
【００４５】
検出パターン１２３も垂直本体１２１ａに、例えば、１列に形成されることもできる。このような検出パターン１２３には、バッテリモジュール１１０の外側に延びた検出線１１６が電気的且つ機械的に連結される。さらに、検出パターン１２３は検出端子１２５に電気的に連結される。よって、全てのバッテリモジュール１１０、バッテリモジュール１１０内の全てのバッテリセル１１４の電圧情報が検出端子１２５に出力される。
【００４６】
電源端子１２４は、上述したように電源パターン１２２に電気的に連結され、このような電源端子１２４には充電装置または外部負荷（図示せず）が連結される。
【００４７】
検出端子１２５は、上述したように検出パターン１２３に電気的に連結され、このような検出端子１２５にはバッテリパック１００の充電および放電を制御する制御回路（図示せず）が連結されることもできる。
【００４８】
一方、図４ｂに示すように、下部カバー１１１ａと上部カバー１１１ｂの間のバッテリセル１１４、母線１１５および検出線１１６は、保護カバー１１２で覆われることができる。勿論、保護カバー１１２の外側に母線１１５および検出線１１６が露出および延長されることもできる。すなわち、バッテリモジュール１１０の外側に母線１１５および検出線１１６が露出および延長されることができる。このように露出および延長された母線１１５はコネクタ１２０の電源パターン１２２に連結され、検出線１１６は検出パターン１２３に連結される。
【００４９】
ここで、バッテリモジュール１１０の一側に、コネクタ１２０と機械的に結合される結合用トレンチ１１８ａが形成されることもできる。一例として、結合用トレンチ１１８ａは、バッテリモジュール１１０の保護カバー１１２および一側の隔壁１１７ａに、ライン状に形成されてもよい。さらに、バッテリモジュール１１０の結合用トレンチ１１８ａと対応するコネクタ１２０、すなわち、水平本体１２１ｂにも、結合用突起１２６ａが形成されてもよい。
【００５０】
したがって、バッテリモジュール１１０の結合用トレンチ１１８ａとコネクタ１２０の結合用突起１２６ａが相互結合されることで、バッテリモジュール１１０とコネクタ１２０が機械的に相互結合される。
【００５１】
図５は、本発明の別の実施形態によるバッテリパックのうちバッテリモジュールとコネクタの間の結合関係を示す正面図である。
【００５２】
図５に示すように、バッテリモジュール１１０’の一側に、コネクタ１２０と機械的に結合される結合用突起１１８ｂが形成されることもできる。一例として、結合用突起１１８ｂは、バッテリモジュール１１０’の保護カバー１１２および一側の隔壁１１７ａにライン状に形成されてもよい。さらに、バッテリモジュール１１０’の結合用突起１１８ｂと対応するコネクタ１２０、すなわち、水平本体１２１ｂにも結合用トレンチ１２６ｂが形成されてもよい。
【００５３】
したがって、バッテリモジュール１１０’の結合用突起１１８ｂとコネクタ１２０の結合用トレンチ１２６ｂが相互結合されることで、バッテリモジュール１１０とコネクタ１２０は機械的に相互結合される。
【００５４】
図６は、本発明の一実施形態によるバッテリパックのうちバッテリモジュールの組立方法を示す正面図である。
【００５５】
図６に示すように、多数のバッテリセル１１４が垂直方向および水平方向に積層される。このとき、垂直方向に積層されたバッテリセル１１４の間と、水平方向に配列されたバッテリセル１１４の間に、それぞれ隔壁１１７ａ、１１７ｂが設けられる。隔壁１１７ａ、１１７ｂは、電気的には絶縁性を有し、且つ熱的には導電性を有する。よって、多数のバッテリセル１１４の間の不必要な電気的短絡が防止され、バッテリセル１１４の熱が外部に容易に放出される。勿論、最外郭のバッテリセル１１４の側部にも隔壁１１７ａが設けられる。
【００５６】
積層されたバッテリセル１１４の下部と上部には、それぞれ下部カバー１１１ａおよび上部カバー１１１ｂが密着する。さらに、下部カバー１１１ａと上部カバー１１１ｂは、ボルト１１３ａおよびナット１１３ｂからなる結合部材１１３によって結合される。このように、下部カバー１１１ａおよび上部カバー１１１ｂによって、多数のバッテリセル１１４と隔壁１１７ａ、１１７ｂが一定の形態を維持する。
【００５７】
図７ａ〜図７ｆは、本発明の一実施形態によるバッテリパックの製造方法を示す正面図である。
【００５８】
先ず、図７ａに示すように、垂直方向および水平方向に積層された多数のバッテリセル１１４と、バッテリセル１１４の間に位置する多数の隔壁１１７ａ、１１７ｂと、下部カバー１１１ａおよび上部カバー１１１ｂをバッテリセル１１４に密着させる多数の結合部材１１３とからなるバッテリモジュール１１０が具備される。勿論、バッテリセル１１４のそれぞれは、正極端子１１４ａおよび負極端子１１４ｂを含む。
【００５９】
続いて、図７ｂに示すように、母線１１５が任意のバッテリセル１１４の負極端子１１４ｂと隣接した別のバッテリセル１１４の正極端子１１４ａに電気的に連結される。一例として、母線１１５は、何れか一つのバッテリセル１１４の負極端子１１４ｂと隣接した別のバッテリセル１１４の正極端子１１４ａに溶接される。このような母線１１５によって、多数のバッテリセル１１４が直列に連結されることができる。
【００６０】
続いて、図７ｃに示すように、検出線１１６が母線１１５それぞれに電気的に連結される。勿論、図示してはいないが、温度センサおよびこれに連結された検出線が各バッテリセル１１４ごとにまたはバッテリモジュール１１０ごとに具備されることもできる。
【００６１】
続いて、図７ｄに示すように、保護カバー１１２が、下部カバー１１１ａと上部カバー１１１ｂの間のバッテリセル１１４、母線１１５および検出線１１６を覆う。このような保護カバー１１２は、一例として絶縁樹脂からなってもよい。より具体的に、保護カバー１１２は、予め製造されて上部カバー１１１ｂと下部カバー１１１ａの間に簡単に結合されることもできる。また、保護カバー１１２は射出成形工法によって製造されることもできる。すなわち、図７ｃに示した中間製品が金型内に装着された後、液状の樹脂が下部カバー１１１ａと上部カバー１１１ｂの間のバッテリセル１１４、母線１１５および検出線１１６に伝達（ｔｒａｎｓｆｅｒ）された後、冷却されることで、下部カバー１１１ａと上部カバー１１１ｂの間にバッテリセル１１４、母線１１５および検出線１１６を覆う保護カバー１１２が形成されることができる。
【００６２】
ここで、図７ｅに示すように、多数の母線１１５のうち一部の母線１１５は保護カバー１１２の外側に露出および延長される。さらに、検出線１１６のうち一部の領域も保護カバー１１２の外側に露出および延長される。すなわち、母線１１５および検出線１１６がバッテリモジュール１１０の外側に露出および延長される。さらに、バッテリモジュール１１０の一側には、結合用トレンチ１１８ａ（または結合用突起）が形成される。実際に、このようなバッテリモジュール１１０の結合用トレンチ１１８ａ（または結合用突起）は、図７ｄに示した保護カバー１１２の形成工程で形成されることもできる。さらに、コネクタ１２０と対向する隔壁１１７ａにも、結合用トレンチ１１８ａ（または結合用突起１１８ｂ）が形成される。
【００６３】
最後に、図７ｆに示すように、バッテリモジュール１１０の外側に露出および延長された母線１１５は、コネクタ１２０に具備された電源パターン１２２に電気的に連結される。例えば、母線１１５は、電源パターン１２２に溶接によって固定される。また、バッテリモジュール１１０の外側に露出および延長された検出線１１６も、コネクタ１２０に具備された検出パターン１２３に電気的に連結される。例えば、検出線１１６は、検出パターン１２３に溶接によって固定される。
【００６４】
さらに、バッテリモジュール１１０の一側に形成された結合用トレンチ１１８ａ（または結合用突起）は、コネクタ１２０に具備された結合用突起１２６ａ（または結合用トレンチ）に結合される。よって、バッテリモジュール１１０はコネクタ１２０に電気的且つ機械的に結合される。
【００６５】
さらに、上記のような方式で多数のバッテリモジュール１１０がコネクタ１２０に電気的且つ機械的に結合される。よって、多数のバッテリモジュール１１０が直列または並列に連結されることができる。さらに、多数のバッテリモジュール１１０が水平方向または垂直方向に積層されることができる。
【００６６】
このようにして、本発明の一実施形態によるバッテリパック１００は、多数のバッテリモジュール１１０が垂直方向または水平方向に密着して積層されるので、スリム化およびコンパクト化される。
【００６７】
また、本発明の一実施形態によるバッテリパック１００は、多数のバッテリモジュール１１０がコネクタ１２０に電気的に結合されると同時に機械的に結合されるので、バッテリパック１００の生産工程の効率が向上する。
【００６８】
また、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６９】
１００    バッテリパック
１１０    バッテリモジュール
１１１ａ    下部カバー
１１１ｂ    上部カバー
１１２    保護カバー
１１３    結合部材
１１４    バッテリセル
１１４ａ    正極端子
１１４ｂ    負極端子
１１５    母線
１１６    検出線
１１７ａ、１１７ｂ    隔壁
１１８ａ    結合用トレンチ
１１８ｂ    結合用突起
１２０    コネクタ
１２１    絶縁本体
１２１ａ    垂直本体
１２１ｂ    水平本体
１２２    電源パターン
１２３    検出パターン
１２４    電源端子
１２５    検出端子
１２６ａ    結合用突起
１２６ｂ    結合用トレンチ
【図１ａ】
2011258542.tif 000003
【図１ｂ】
2011258542.tif 000004
【図２】
2011258542.tif 000005
【図３】
2011258542.tif 000006
【図４ａ】
2011258542.tif 000007
【図４ｂ】
2011258542.tif 000008
【図５】
2011258542.tif 000009
【図６】
2011258542.tif 000010
【図７ａ】
2011258542.tif 000011
【図７ｂ】
2011258542.tif 000012
【図７ｃ】
2011258542.tif 000013
【図７ｄ】
2011258542.tif 000014
【図７ｅ】
2011258542.tif 000015
【図７ｆ】
2011258542.tif 000016